(57)【特許請求の範囲】
【請求項１】
移動または隠顕動作をする標的に対して射撃訓練する射撃訓練装置の標的装置において、
標的支持柱と、その標的支持柱に固定されて前記標的を挟持する表フレーム枠ならびに裏フレーム枠を備え、
前記表フレーム枠と裏フレーム枠の標的の左右両端と係合する部分にフレーム補強山が上下方向に設けられ、そのフレーム補強山に横からクリップを差し込むためのクリップ用穴が形成され、表フレーム枠と裏フレーム枠のクリップが取り付けられる部分に標的に食い込む爪を有し、
標的を挟んだ表フレーム枠と裏フレーム枠の前記クリップ用穴からクリップを挿入して、前記爪の頭部を押えるとともにフレーム枠どうしを一体に固定したことを特徴とする標的装置。
【請求項２】
請求項１記載の標的装置において、前記爪の頭部と係合する溝が前記クリップに形成されていることを特徴とする標的装置。
【請求項３】
請求項１記載の標的装置において、前記表フレーム枠と裏フレーム枠の前記標的の上辺と係合する部分には前記フレーム補強山がなく平坦であることを特徴とする標的装置。
【請求項４】
請求項１記載の標的装置において、前記標的支持柱が繊維で補強された弾性体で覆われていることを特徴とする標的装置。
【請求項５】
走行レールに沿って走行する標的台車と、その標的台車によって移動される標的装置と、前記標的台車に搭載されて照明光を標的に投じる標的照明とを備えた射撃訓練装置において、
前記標的装置が前記請求項１ないし４のいずれか１項記載の標的装置であることを特徴とする射撃訓練装置。
【発明の詳細な説明】
【０００１】
【発明の属する技術分野】
本発明は、例えば警察官や自衛官の実弾射撃訓練のために使用される射撃訓練装置に係り、特に射撃訓練装置で用いられる標的装置に関する。
【０００２】
【従来の技術】
従来技術の射撃訓練装置は、図１４に示すごとく、射撃手１が固定標的２に向かって、拳銃（または小銃）３を用いて実弾４を固定標的２の目標点（照準点）５へ正確に当てるように訓練するものである。
【０００３】
この射撃訓練装置においては、瞬時の射撃判断能力を向上させる目的で、固定標的２に隠顕動作を行わせることがある。この隠顕動作とは図１５に示すように、固定標的２自体を標的支持柱８を中心にして定置回転させ、図１５の固定標的２が状態ａで示すように射撃手１に標的面を見せたり、あるいは状態ｂで示すように射撃手１から標的面を隠したりする動作を繰り返し行うことをいう。この隠顕動作を行うため、標的支持柱８は隠顕駆動装置６に係合されている。
【０００４】
ところが、このような従来技術の射撃訓練装置においては、固定標的２は隠顕駆動装置６によって隠顕動作を行うのみで、射撃手１からの距離は変わらないため、例えば警察官に対して、凶器を持って襲撃して来る犯人を想定した場合などの高度な射撃訓練を行うことができない。
【０００５】
なお、図１４において、７は停弾堤、９は標的照明である。
【０００６】
このため、固定標的２が隠顕動作はもちろんのこと、さらに射撃手１に対して、固定標的２が接近したりもしくは遠ざかったりすることが出来る、いわゆる移動標的を備えた射撃訓練装置が考案されている。かかる移動標的を備えた射撃訓練装置として、出願人の先願に係る発明がある。
【０００７】
この概要を図１６に示す。
【０００８】
この移動標的を備えた射撃訓練装置は、建屋天井１３に吊り下げた走行レール１２に沿って、標的台車１０を射撃手１に対して近づけたり遠ざけたりすることによる移動標的２′の移動動作と移動標的２′の隠顕動作を標的台車１０によって行う、いわゆる移動標的２′の移動動作と、移動標的２′の隠顕動作を組み合わせた射撃訓練装置である。かかる射撃訓練装置の移動標的２′としては、警察官の射撃訓練の場合、通常、標的紙（主材料はダンボール紙に目標的５を印刷したもの、厚さ約４ｍｍ、幅×高さ７５０ｍｍ×７５０ｍｍ）を１つの移動標的２′に１枚または２枚（標的紙を背中合わせにして表面、裏面）を使用する。
【０００９】
【発明が解決しようとする課題】
この場合、標的台車１０は、高速（約１５ｋｍ／ｈｒ以下）で走行、停止や隠顕動作を繰り返すため、標的支持柱８と標的保持具１１には以下のような特性を持つものが必要とされている。
【００１０】
（１）移動標的２′を“顕”の状態（標的面が射撃手１に対面した状態）で走行する場合、標的面に風圧が作用するが、この風圧に対抗して標的面を略鉛直に保つこと。
【００１１】
（２）軽量であること。
【００１２】
（３）被弾（実弾が的中）した場合跳弾を生じないこと。
【００１３】
（４）標的保持具１１は標的紙の取り付け、取り外しが容易であること（工具を使用しないで標的紙の取り替えが出来ること）。
【００１４】
（５）標的支持柱８は被弾した場合、容易に折損することなく、しかも標的支持柱８の破片を射場内に撒き散らさないこと。
【００１５】
（６）標的台車１０には標的照明が必要であるが、標的台車１０の鉛直下方に移動標的２′が位置するため、標的紙の表面に標的照明の影を生じさせにくい標的保持具１１であること。
【００１６】
（７）実弾が的中した場合の衝撃により、移動標的２′が標的保持具１１から外れないこと。
【００１７】
などが必要である。
【００１８】
本発明の目的は、
（１）固定標的、移動標的の姿勢を鉛直に保ち、
（２）軽量で、
（３）跳弾を生じることがなく、
（４）標的紙の取り付け、取り外しが容易で、
（５）被弾した場合、標的支持柱が容易に折れることがなく、
（６）標的の表面に標的照明の影を生じにくい、
（７）容易に標的紙が脱落しない、
標的装置及び射撃訓練装置を提供することにある。
【００１９】
【課題を解決するための手段】
（１）標的の落下防止と標的の着脱容易化については、標的保持具に標的に食い込む爪を設け、爪と標的をクリップで挟み込むとにより、
（２）標的面に照明の影を生じないこと及び風圧に対抗して標的面を鉛直に保つ能力は、標的保持具の標的面の左右両端に位置する部分において上下方向に補強山を設けることにより、
（３）軽量化及び跳弾防止に対しては、標的保持具の材質を樹脂製とすることにより、
（４）標的支持柱の被弾に対する折損防止と標的支持柱の破片の撒き散らし防止に対しては、標的支持柱の周りに弾性体の薄板または繊維で補強された弾性体の薄板を巻き付け被着することにより、達成される。
【００２０】
【発明の実施の形態】
以下、本発明の具体例に係る標的支持装置及び標的紙の固定方法について図１〜図１１を用いて説明する。
【００２１】
図１に示すように、標的支持柱８は、木製丸棒１５と標的保持具１１に係合する布入りゴム板１４（弾性体）で巻いた木製丸棒１５で構成されている。
【００２２】
一方、標的保持具１１は、成形された２枚の樹脂製の表フレーム枠１６と裏フレーム枠１７によって構成され、表フレーム枠１６と裏フレーム枠１７はボルト、ナット１８で締め付けられ、一体にされる。そして、表フレーム枠１６は表フレーム枠本体１６ａと表フレーム枠支持体１６ｂによって、また裏フレーム枠１７は裏フレーム枠本体１７ａと裏フレーム枠支持体１７ｂによってそれぞれ構成されている。
【００２３】
表フレーム枠１６と裏フレーム枠１７は木製丸棒１５の中心軸に対し略左右対称に取り付けられており（後で説明する爪の配置を除いて）、表フレーム枠１６と裏フレーム枠１７は略同一の寸法で、略同一形状である。
【００２４】
表フレーム枠１６と裏フレーム枠１７は、合計８組の樹脂製ボルト／ナット１８で互いに締結されると共に、木製丸棒１５に固く固定されている。また２枚のダンボール製標的紙１９を表フレーム枠１６と裏フレーム枠１７に固定するために、合計６個の樹脂製クリップ２０が設けられている。クリップ２０の構造は図２に示す通りで、標的紙１９、標的紙１９を両側から挟む表フレーム枠１６、裏フレーム枠１７を一体に固定する。
【００２５】
表フレーム枠１６の表フレーム枠支持体１６ｂと裏フレーム枠１７の裏フレーム枠支持体１７ｂのクリップ２０が取り付けられる部分には、図３に示す樹脂製の爪２１がそれぞれ複数個設けられ、クリップ２０は表フレーム枠支持体１６ｂ及び裏フレーム枠支持体１７ｂに圧入されている。
【００２６】
次に、標的保持具１１について説明する。
【００２７】
標的保持具１１は図１に示すように、表フレーム枠１６と裏フレーム枠１７によって構成されている。
【００２８】
そして、表フレーム枠１６と裏フレーム枠１７によって標的紙１９を挟むことによって標的紙１９を支持する。
【００２９】
次に、表、裏フレーム枠１６，１７について説明する。
【００３０】
表、裏フレーム枠１６，１７は略同一形状であるので、ここでは表フレーム枠１６についてのみ説明する。
【００３１】
表フレーム枠１６は表フレーム枠本体１６ａとこの表フレーム枠本体１６ａの両端に位置する表フレーム枠支持体１６ｂが一体に形成され、全体的にはコ字状になっている。
【００３２】
そして、表フレーム枠本体１６ａの面は、図１、図１０及び図１１に示すように、略平坦に形成されているが、表フレーム枠支持体１６ｂの内側には図３、図５〜図８及び図９に示すように、爪２１、フレーム補強山２２、クリップ用穴２３が設けられており、表フレーム枠支持体１６ｂの面は、平坦ではない。
【００３３】
以下、表フレーム枠支持体１６ｂと裏フレーム枠支持体１７ｂと標的紙１９、クリップ２０、爪２１の係合関係を説明する。
【００３４】
図４に示すごとく、表フレーム枠支持体１６ｂと裏フレーム枠支持体１７ｂの標的紙１９の左右両端が係合する部分には、表、裏フレーム枠支持体１６ｂ，１７ｂに沿ってフレーム補強山２２が上下方向に設けられている。
【００３５】
図５〜図７に示すごとく、このフレーム補強山２２のうちクリップ２０を取り付ける部分には、クリップ用穴２３が設けられており、図４に示すように、標的紙１９を挟んだ表フレーム枠支持体１６ｂ及び裏フレーム枠支持体１７ｂに図６に示すように、横からクリップ２０を差し込めるようにクリップ用穴２３が設けられている。
【００３６】
即ち、表フレーム枠支持体１６ｂ及び裏フレーム枠支持体１７ｂに標的紙１９を取り付けていない状態を図７に示すが、標的紙１９を取り付けクリップ２０を差し込んだ状態を図５、図６及び図９に示す。
【００３７】
つまり、標的保持具１１の標的紙１９の取り付け手順を説明すると以下の通りである。
【００３８】
▲１▼木製丸棒１５に表フレーム枠１６及び裏フレーム枠１７をボルトナット１８で固定する（この状態ではクリップ２０は全て外しておく）。
【００３９】
▲２▼表フレーム枠１６及び裏フレーム枠１７は樹脂製であり、ボルトナット１８で固定していても変形能は大きいため、クリップ２０が無い状態でも標的紙１９と係合する部分は、表フレーム枠１６と裏フレーム枠１７の間隔を手で押し広げ、容易に標的紙１９を表フレーム枠１６、裏フレーム枠１７の間に差し込むことができる。
【００４０】
つまり、表、裏フレーム枠１６，１７の表、裏フレーム枠本体１６ａ，１７ａ間には図１０、図１１に示すように、標的紙１９は表フレーム枠本体１６ａと裏フレーム枠本体１７ａの間に挟み込まれるだけである。
【００４１】
また、表、裏フレーム枠１６，１７の表、裏フレーム枠支持体１６ｂ，１７ｂにおいて、クリップ２０を取り付けない部分も図４に示すように、標的紙１９は表フレーム枠支持体１６ｂと裏フレーム枠支持体１７ｂの間に挟み込まれるだけである。
【００４２】
しかしながら、表フレーム枠支持体１６ｂ、裏フレーム枠支持体１７ｂの爪２１を設けた部分では図６に示すように、表、裏フレーム枠支持体１６ｂ，１７ｂの間に標的紙１９を挟み、標的紙１９は爪２１に食い込まれて標的紙１９を仮固定する。
【００４３】
▲３▼次にクリップ２０を差し込む部分の表フレーム枠支持体１６ｂ及び裏フレーム枠支持体１７ｂの爪２１の頭を指で標的紙１９面の両側から押さえることにより、爪２１は容易にダンボール製標的紙１９に食い込ませることで、表、裏フレーム枠支持体１６ｂ，１７ｂの間に標的紙１９を爪２１によって仮固定ができる。
【００４４】
▲４▼次にクリップ２０を表、裏フレーム枠支持体１６ｂ，１７ｂの外側からクリップ用穴２３に図６の矢印で示すように押し込み、クリップ２０で図５に示すように爪２１の頭を押さえる。クリップ２０は樹脂製であり変形能は大きいので、クリップ２０の両側をやや開き気味にしながら容易に取り付けることができる。▲５▼以上で標的紙１９の取り付け完了である。取り外しは今まで説明したと逆の手順で行えばよい。
【００４５】
かかる構造によれば、表、裏フレーム枠支持体１６ｂ，１７ｂ及び爪２１は標的紙１９に食い込んで標的紙１９を仮固定していること、並びにクリップ２０は表フレーム枠支持体１６ｂ及び裏フレーム枠支持体１７ｂに設けられたクリップ用穴２３に差し込まれ、標的紙１９、表、裏フレーム枠支持体１６ｂ，１７ｂを両側から狭持し、爪２１の頭とクリップ２０の溝２４が係合しているので、外力によりクリップ２０を引き抜かない限り、標的紙１９が表、裏フレーム枠支持体１６ｂ，１７ｂから脱落することはない。
【００４６】
また、図１に示すように、クリップ２０を全て取り付けた時点で、表フレーム枠１６と裏フレーム枠１７は標的紙１９を挟んで一体構造となるが、標的２の走行中に標的紙１９の表面に作用する風圧に対しては、表フレーム枠支持体１６ｂ及び裏フレーム枠１７ｂの左右端の上下方向に設けたフレーム補強山２２が標的紙１９面の両側に位置するため、標的紙１９を略垂直に保持することができる。
また、図１０及び図１１には、図１のＤ−Ｄ断面、Ｅ−Ｅ線の拡大断面図を示すが、表フレーム枠本体１６ａと裏フレーム枠本体１７ａの標的紙１９の上辺とが係合する部分には表、裏フレーム枠本体１６ａ，１７ａにはフレーム補強山２２が無く平坦であるため、標的紙１９に投じる標的照明９からの照明光がこのフレーム補強山２２によって遮られることもない。
【００４７】
つまり、図１３に示すように、表、裏フレーム枠本体１６ａ，１７ａは平坦でしかもフレーム補強山２２が無いので、標的台車１０に搭載された標的照明９からの照明光を遮ることはない。
【００４８】
また、図１２には、木製丸棒１５に布入りゴム板１４を巻き付けるときの状態を示すが、布入りゴム板１４に接着剤を塗布し、木製丸棒１５の外周を少なくとも１回以上布入りゴム板１４で巻き付けることにより、木製丸棒１５が仮に被弾した場合、布入りゴム板（ゴム、プラスチックなどの弾性体）１４によって、木製丸棒１５が外部からの拘束により、木製丸棒１５が容易に折損することもなく、また木製丸棒１５に実弾４が命中しても木製丸棒１５の木片を射撃場内に撒き散らすこともない。なお、布入りゴム板１４の巻き付けは、木製丸棒１５の全長にわたって行う必要はなく、標的保持具１１に近い被弾の可能性の高い所のみでよい。
【００４９】
以上、本発明の説明から明らかなように、標的支持柱８及び標的保持具１１の材質には金属が採用されておらず、従って跳弾を生じる可能性もなく、軽量である。
【００５０】
以上本発明の具体例においては、移動標的を建屋天井側から吊り下げる場合の構造について説明したが、移動標的を建屋の床下に設置するものにも応用できる。
【００５１】
なお、標的紙１９を２枚取り付けた場合の具体例について説明したが、標的紙１９は１枚でもよい。
【００５２】
また、本発明の具体例においては、移動標的２′についてのみ説明したが、必ずしも移動標的に限られるものではなく、広く固定標的にも応用できる。
【００５３】
本発明の実施の形態によれば、以下の効果を奏する。
【００５４】
（１）標的保持具１１に設けた爪２１は、ダンボール製の標的紙１９に（クリップ２０を取り付けた時点で）食い込み、クリップ２０が外れない限りまたは標的紙１９が引きちぎれない限り標的紙１９が標的保持具１１から外れない。従って、フレーム枠１６，１７同士をクリップ２０で挟むだけで標的紙１９、フレーム枠１６，１７の固定、重量の保持ができる。
【００５５】
（２）標的紙１９と標的保持具１１は標的紙１９の左右両端の位置において係合させ、この位置に上下方向に走るフレーム補強山２２を設けることにより、進行方向から標的紙１９に加わる風圧力に対抗する標的保持具１１の変形剛性を高めることができ、また標的紙１９の上辺位置には標的保持具１１のフレーム補強山２２がないため、標的台車１０に設けた標的照明光は標的紙１９の表面に全て照射され、従って標的紙１９に影を生じることがない。
【００５６】
（３）標的保持具１１を金属製でなく樹脂製とすることにより、軽量化及び跳弾防止を図ることができる。
【００５７】
（４）標的支持柱８が被弾した場合、標的支持柱８周りは繊維で強化された弾性体薄板（布入りゴム板１４）または弾性体の薄板で巻かれ標的支持柱８の変形拘束と補強を行っているので、標的支持柱８が容易に折損することもなく、また標的支持柱８の破片が射場内に撒き散らされることもない。
【００５８】
【発明の効果】
本発明の射撃訓練装置の標的支持構造によれば、下記の効果がある。
【００５９】
（１）標的紙は、射撃訓練中、標的保持具から容易に外れない。
【００６０】
（２）標的面を風圧力に対抗して鉛直に保つ性能に優れる。
【００６１】
（３）軽量である。
【００６２】
（４）跳弾を生じる可能性がない。
【００６３】
（５）標的紙の取り付け、取り外しが容易である。
【００６４】
（６）標的支持柱の被弾折損に対する防護性能が高く、標的支持柱の破片を射撃場内に撒き散らすことがない。
【００６５】
（７）標的照明に対して、照明光の影が生じない。
【図面の簡単な説明】
【図１】本発明の射撃訓練装置の標的部分の構成図である。
【図２】本発明になる標的保持具のクリップを示す図である。
【図３】本発明になる標的保持具の爪を示す図である。
【図４】図１のＡ−Ａ断面図である。
【図５】図１のＢ−Ｂ断面図である。
【図６】クリップを取り付ける様子を説明する図である。
【図７】図１のＣ部拡大図である。
【図８】図１のＦ−Ｆ視図である（標的紙なし）。
【図９】図１のＦ−Ｆ視図である（標的紙あり）。
【図１０】図１のＤ−Ｄ断面図である。
【図１１】図１のＥ−Ｅ断面図である。
【図１２】木製丸棒に布入りゴム板を巻き付けるときの状態を示す図である。
【図１３】標的照明を示す側面図である。
【図１４】従来の射撃訓練装置による射撃訓練の様子を示す図である。
【図１５】従来の射撃訓練装置による射撃訓練の様子を示す図である。
【図１６】先願技術に係る射撃訓練装置の全体概略側面図である。
【符号の説明】
１４  布入りゴム板
１５  木製丸棒
１６  表フレーム枠
１７  裏フレーム枠
１８  ボルトナット
１９  標的紙
２０  クリップ
２１  爪
【図１】
0003670759.tif 000002
【図２】
0003670759.tif 000003
【図３】
0003670759.tif 000004
【図４】
0003670759.tif 000005
【図５】
0003670759.tif 000006
【図６】
0003670759.tif 000007
【図７】
0003670759.tif 000008
【図８】
0003670759.tif 000009
【図９】
0003670759.tif 000010
【図１０】
0003670759.tif 000011
【図１１】
0003670759.tif 000012
【図１２】
0003670759.tif 000013
【図１３】
0003670759.tif 000014
【図１４】
0003670759.tif 000015
【図１５】
0003670759.tif 000016
【図１６】
0003670759.tif 000017